(57)【要約】  本開示は、角度可変型太陽電池モジュール屋外試験装置を開示する。前記角度可変型太陽電池モジュール屋外試験装置は、スタンドと、回転台と、物置台とを含む。スタンドに、ローリングアセンブリが固定設置されており、回転台は、スタンドに回動接続され、回転台に、ビーム角測量ポールが固定設置されており、ビーム角測量ポールは、回転台表面に垂直であり、物置台は、スタンドに固定接続される。本開示が提供する角度可変型太陽電池モジュール屋外試験装置は、既存の試験ブラケットでの角度及び方向を変更できないという問題点を解決し、且つビーム角測量ポールの投影状態によって、試験回転台の太陽光に垂直な状態に対する調節及び保持を実現し、屋外試験操作の便宜を図り、ＩＥＣの屋外試験に対する要求を満たし、試験の安定性及び正確性を向上させる。
2019537403.tif 000002
【特許請求の範囲】
【請求項１】
角度可変型太陽電池モジュール屋外試験装置であって、
スタンドと、回転台とを含み、
前記回転台は、前記スタンドに回動接続され、前記回転台に、ビーム角測量ポールが固定設置されており、前記ビーム角測量ポールは、前記回転台表面に垂直であることを特徴とする角度可変型太陽電池モジュール屋外試験装置。
【請求項２】
物置台を更に含み、
前記物置台は、前記スタンドに固定接続されることを特徴とする請求項１に記載の角度可変型太陽電池モジュール屋外試験装置。
【請求項３】
前記スタンドに、ローリングアセンブリが固定設置されていることを特徴とする請求項１に記載の角度可変型太陽電池モジュール屋外試験装置。
【請求項４】
前記ローリングアセンブリは、ローラーシートと、ローラーとを含み、
前記ローラーは、前記ローラーシートに回動接続され、
前記ローラーシートは、前記スタンドに固定設置されていることを特徴とする請求項３に記載の角度可変型太陽電池モジュール屋外試験装置。
【請求項５】
前記ローリングアセンブリは、ローラーロック手段を更に含むことを特徴とする請求項４に記載の角度可変型太陽電池モジュール屋外試験装置。
【請求項６】
前記回転台に、放射計を装着するためのトレーが更に固定設置されていることを特徴とする請求項１に記載の角度可変型太陽電池モジュール屋外試験装置。
【請求項７】
前記スタンドに、支持ラックが固定設置されており、
前記回転台は、回転軸を介して前記支持ラックに回動接続されることを特徴とする請求項１に記載の角度可変型太陽電池モジュール屋外試験装置。
【請求項８】
前記回転台は、左回転台と、右回転台とを含み、
前記支持ラックは、左支持ラックと、中央支持ラックと、右支持ラックとを含み、
前記左回転台は、前記左支持ラックと前記中央支持ラックの間に回動設置されており、
前記右回転台は、前記右支持ラックと前記中央支持ラックの間に回動設置されていることを特徴とする請求項７に記載の角度可変型太陽電池モジュール屋外試験装置。
【請求項９】
前記左支持ラック、前記中央支持ラック及び前記右支持ラックは、いずれも第１の支持棒と、第２の支持棒とを含み、
前記第１の支持棒の一端は、前記第２の支持棒の一端に固定接続され、
前記第１の支持棒の他端及び前記第２の支持棒の他端は、いずれも前記スタンドに固定接続されることを特徴とする請求項８に記載の角度可変型太陽電池モジュール屋外試験装置。
【請求項１０】
前記右回転台は、中央支持ラックに近い側で位置決めピンを介して前記左回転台に固定接続されることを特徴とする請求項９に記載の角度可変型太陽電池モジュール屋外試験装置。
【請求項１１】
前記物置台は、支持板と、物置板とを含み、
前記支持板と、前記物置板とは、相互に垂直され、
前記支持板は、前記スタンドに固定接続され、
前記物置板の端部は、それぞれ前記左支持ラックの前記第１の支持棒及び前記中央支持ラックの前記第１の支持棒に固定接続されることを特徴とする請求項９に記載の角度可変型太陽電池モジュール屋外試験装置。
【請求項１２】
回転台ロック手段を更に含み、
前記回転台ロック手段の一端は、前記回転台に固定設置されており、
前記回転台ロック手段の他端は前記左支持ラックに固定設置されていることを特徴とする請求項１１に記載の角度可変型太陽電池モジュール屋外試験装置。
【請求項１３】
前記回転台ロック手段に、摺動溝が設置されており、
前記左回転台の側縁に、位置限定ボルトが設置されており、
前記位置限定ボルトは、前記摺動溝に摺動接続され、
前記左支持ラックに、位置決め軸が設置されており、
前記回転台ロック手段は、前記位置決め軸を中心として回転し、
前記回転台の角度を調節する過程において、前記位置限定ボルトは、前記摺動溝に沿って摺動し、
角度調整が完了した後、前記位置限定ボルトを締め付けることにより前記回転台の固定を実現することを特徴とする請求項１２に記載の角度可変型太陽電池モジュール屋外試験装置。
【請求項１４】
前記回転台に物支え腕木が固定設置されており、前記物支え腕木に物支えフランジが設置されていることを特徴とする請求項１２に記載の角度可変型太陽電池モジュール屋外試験装置。
【請求項１５】
前記回転台に、複数の接続ロッドが設置されていることを特徴とする請求項１に記載の角度可変型太陽電池モジュール屋外試験装置。
【発明の詳細な説明】
【技術分野】
【０００１】
本開示は、太陽電池試験技術分野に関し、特に角度可変型太陽電池モジュール屋外試験装置に関する。
【０００２】
〔関連する出願の参照〕
本願は、２０１７年８月３０日に出願された中国実用新案出願第２０１７２１０９８７６８．２号の優先権を主張するものであり、当該出願の内容は全て本願に取り込まれる。
【背景技術】
【０００３】
太陽電池モジュール試験機のランプソースは、太陽光のスペクトルを完璧には模擬できないため、太陽電池モジュールは、常に屋外試験を行って、モジュールの太陽光下での実際表現を研究する必要があるが、現在、市場におけるすべてのモジュールの屋外試験作業は、全部固定ブラケット上で直接行われており、ブラケットは、自由に角度及び方向を変更できず、モジュールの屋外試験作業に不便をかけており、モジュールが時々刻々太陽光直射を保持できないようにし、試験結果の正確性に影響を与えている。
【発明の概要】
【発明が解決しようとする課題】
【０００４】
本開示の目的は、角度可変型太陽電池モジュール屋外試験装置を提供して、既存の試験ブラケットでの角度及び方向を変更できないという問題点を解決し、試験台が時々刻々太陽光に垂直な状態を保持できることを実現し、屋外試験操作の便宜を図り、国際電気標準会議（ＩＥＣ）の屋外試験に対する要求を満たし、試験の安定性及び正確性を向上させることにある。
【課題を解決するための手段】
【０００５】
角度可変型太陽電池モジュール屋外試験装置であって、スタンドと、回転台とを含み、前記回転台は、前記スタンドに回動接続され、前記回転台に、ビーム角測量ポールが固定設置されており、前記ビーム角測量ポールは、前記回転台表面に垂直である。
【０００６】
好ましくは、物置台を更に含み、前記物置台は、前記スタンドに固定接続される。
【０００７】
好ましくは、前記スタンドに、ローリングアセンブリが固定設置されている。
【０００８】
好ましくは、前記ローリングアセンブリは、ローラーシートと、ローラーとを含み、前記ローラーは、前記ローラーシートに回動接続され、前記ローラーシートは、前記スタンドに固定設置されている。
【０００９】
好ましくは、前記ローリングアセンブリは、ローラーロック手段を更に含む。
【００１０】
好ましくは、前記回転台に、放射計を装着するためのトレーが更に固定設置されている。
【００１１】
好ましくは、前記スタンドに、支持ラックが固定設置されており、前記回転台は、回転軸を介して前記支持ラックに回動接続される。
【００１２】
好ましくは、前記回転台は、左回転台と、右回転台とを含み、前記支持ラックは、左支持ラックと、中央支持ラックと、右支持ラックとを含み、前記左回転台は、前記左支持ラックと前記中央支持ラックの間に回動設置されており、前記右回転台は、前記右支持ラックと前記中央支持ラックの間に回動設置されている。
【００１３】
好ましくは、前記左支持ラック、前記中央支持ラック及び前記右支持ラックは、いずれも第１の支持棒と、第２の支持棒とを含み、前記第１の支持棒の一端は、前記第２の支持棒の一端に固定接続され、前記第１の支持棒の他端及び前記第２の支持棒の他端は、いずれも前記スタンドに固定接続される。
【００１４】
好ましくは、前記右回転台は、中央支持ラックに近い側で位置決めピンを介して前記左回転台に固定接続される。
【００１５】
好ましくは、前記物置台は、支持板と、物置板とを含み、前記支持板と、前記物置板とは、相互に垂直され、前記支持板は、前記スタンドに固定接続され、前記物置板の端部は、それぞれ前記左支持ラックの前記第１の支持棒及び前記中央支持ラックの前記第１の支持棒に固定接続される。
【００１６】
好ましくは、回転台ロック手段を更に含み、前記回転台ロック手段の一端は、前記回転台に固定設置されており、前記回転台ロック手段の他端は前記左支持ラックに固定設置されている。
【００１７】
好ましくは、前記回転台ロック手段に、摺動溝が設置されており、前記左回転台の側縁に、位置限定ボルトが設置されており、前記位置限定ボルトは、前記摺動溝に摺動接続され、前記左支持ラックに、位置決め軸が設置されており、前記回転台ロック手段は、前記位置決め軸を中心として回転し、前記回転台の角度を調節する過程において、前記位置限定ボルトは、前記摺動溝に沿って摺動し、角度調整が完了した後、前記位置限定ボルトを締め付けることにより前記回転台の固定を実現する。
【００１８】
好ましくは、前記回転台に物支え腕木が固定設置されており、前記物支え腕木に物支えフランジが設置されている。
【００１９】
好ましくは、前記回転台に、複数の接続ロッドが設置されている。
【発明の効果】
【００２０】
本開示が提供する角度可変型太陽電池モジュール屋外試験装置は、既存の試験ブラケットでの角度及び方向を変更できないという問題点を解決し、且つビーム角測量ポールの投影状態によって、試験回転台の太陽光に垂直な状態に対する調節及び保持を実現し、屋外試験操作の便宜を図り、ＩＥＣの屋外試験に対する要求を満たし、試験の安定性及び正確性を向上させる。
【図面の簡単な説明】
【００２１】
【図１】本開示の実施例が提供する角度可変型太陽電池モジュール屋外試験装置の構成模式図である。
【発明を実施するための形態】
【００２２】
以下、本開示の実施例を詳細に説明し、前記実施例の例は、図面に示される。その中で、終始一貫して、同一又は類似の参照番号は、同一又は類似の素子或いは同一又は類似の機能を有する素子を表す。以下、図面を参考しながら説明される実施例は、例示的なものであり、ただ本開示を解釈するために用いられ、本開示に対する制限として解釈するべきではない。
【００２３】
図１に示すように、本開示の実施例は、角度可変型太陽電池モジュール屋外試験装置を提供する。前記角度可変型太陽電池モジュール屋外試験装置は、スタンド１００と、回転台２００と、物置台４００とを含む。スタンド１００に、ローリングアセンブリ１１０が固定設置されており、回転台２００は、スタンド１００に回動接続され、回転台２００に、ビーム角測量ポール３００が固定設置されており、ビーム角測量ポール３００は、回転台２００の表面に垂直であり、物置台４００は、スタンド１００に固定接続される。
【００２４】
本開示の実施例が提供する角度可変型太陽電池モジュール屋外試験装置を利用して太陽電池モジュールに対して屋外試験を行う時、太陽電池モジュールを回転台２００に置き、ローリングアセンブリ１１０を介してスタンド１００を移動させて、回転台２００が光照射に置かれるようにし、回転台２００を回動させることにより太陽光線との間の角度を調節することが可能であるが、一般的には、回転台２００の表面が太陽光線に垂直な状態になるまで調節する。ビーム角測量ポール３００は、回転台２００の表面に垂直であるため、光照射下で投影を生成し、故に、操作者は、当該直角辺の投影状況によって回転台２００が太陽光線に垂直な状態になるまで調節されたか否かを判断でき、従って、屋外試験操作性の便宜を図るとともに、ＩＥＣの屋外試験に対する要求をより容易に満し、試験の安定性及び正確性を向上させる。
【００２５】
更に、当該角度可変型太陽電池モジュール屋外試験装置は、物置台４００を更に含むことができる。当該物置台４００は、スタンド１００に固定接続される。屋外試験を行う時、一般的には、ＩＶ試験機を使用して太陽電池モジュールのＩＶデータを測定するが、従来技術において、ＩＶ試験機は、専用の小型車を使用して移動を行うのが普通であり、これにより、試験過程における敷地面積を増やし、且つ使用前に太陽電池モジュールとの位置関係を調整する必要があり、操作が複雑で、操作空間を浪費し、且つ別途に移動させるべきであり、試験効率を低下させる。本実施例では、スタンド１００に物置台４００を設置することにより、ＩＶ試験機が物置台４００に置かれることができるようにし、試験過程では、ＩＶ試験機を繰り返して調整する必要がなく、太陽電池モジュールを調節済みの回転台２００に置くだけで試験を行うことができ、操作が便利で、試験効率を向上させるとともに、敷地空間を節約する。
【００２６】
ローリングアセンブリ１１０がローラーシートと、ローラーとを含み、ローラーは、ローラーシートに回動接続され、ローラーシートは、スタンド１００に固定設置されることが可能であることは理解できる。なお、調整後のスタンド１００に二度と移動が発生しないよう保証するために、ローリングアセンブリ１１０は、ローラーロック手段を更に含むことができ、従って、ローラーをロックし、ローリングするのを防止する。
【００２７】
試験過程では、一般的に、放射計を使って光度データを試験する必要があるが、従来技術において、放射計は、太陽電池モジュール付近の地面に置かれるのが普通であり、踏まれやすくて、管理が不便である。このため、本実施例において、回転台２００に、放射計を装着するためのトレー２３０が固定設置されることが可能であり、これにより、放射計をトレー２３０に固定装着でき、管理が便利になる。同時に、放射計が太陽電池モジュールと同様な光線照射を受けるようにすることが可能であり、従って、データ採集の正確性を保証する。
【００２８】
更に、スタンド１００に、支持ラックが固定設置されており、回転台２００は、回転軸１５０を介して支持ラックに回動接続される。
【００２９】
具体的には、回転台２００は、左回転台２１０と、右回転台２２０とを含み、支持ラックは、左支持ラック１２０と、中央支持ラック１３０と、右支持ラック１４０とを含み、左回転台２１０は、左支持ラック１２０と中央支持ラック１３０の間に回動設置されており、右回転台２２０は、右支持ラック１４０と中央支持ラック１３０の間に回動設置されている。左回転台２１０と、右回転台２２０との構造は、同一であって良く、左回転台２１０及び右回転台２２０を設置することにより、複数群の太陽電池モジュールを同時に試験できるのを実現して、試験効率を向上できる。説明すべきことは、回転軸１５０は、逐次に左支持ラック１２０、左回転台２１０及び中央支持ラック１３０を通り抜けた後、右回転台２２０の中央支持ラック１３０に近い側を貫入する同時に、当該右回転台２２０の中央支持ラック１３０に近い側の別の位置の所で位置決めピン１６０を介して左回転台２１０に固定接続されることが可能であり、これにより、左回転台２１０と右回転台２２０の間で２点固定を実現し、左回転台２１０と、右回転台２２０との同期翻転運動を保証するとともに、右回転台２２０の右支持ラック１４０に近い側は、回転ピンを介して右支持ラック１４０に回動接続できる。
【００３０】
具体的には、左支持ラック１２０、中央支持ラック１３０及び右支持ラック１４０は、いずれも第１の支持棒１２１と、第２の支持棒１２２とを含むことができ、第１の支持棒１２１の一端は、第２の支持棒１２２の一端に固定接続され、第１の支持棒１２１の他端及び第２の支持棒１２２の他端は、いずれもスタンド１００に固定接続され、これにより、第１の支持棒１２１と、第２の支持棒１２２と、スタンド１００との間で三角形構造を構成し、当該三角形構造は、回転台２００に対する支持強度を向上させ、回転台２００作業の信頼性を保証する。
【００３１】
回転台２００の構造全体の強度を保証するために、回転台２００に、複数の接続ロッド２５０が設置されていることが可能である。
【００３２】
説明すべきことは、物置台４００は、支持板４１０と、物置板４２０とを含み、支持板４１０と、物置板４２０とは、相互に垂直されて、「Ｌ」型構造を構成し、支持板４１０は、直立設置され、且つスタンド１００に固定接続され、物置板４２０の端部は、それぞれ左支持ラック１２０の第１の支持棒１２１及び中央支持ラック１３０の第１の支持棒１２１に固定接続され、従って、二つの斜めに設置された支持棒により、物置台４００に対する支持強度を向上できるとともに、物置板４２０は、二つの支持棒の対向方向又は反対方向で発生するトルクを分担でき、支持ラックの支持強度を保証することができる。
【００３３】
回転台２００が、角度調整後、自由回動が発生するのを防止するために、当該角度可変型太陽電池モジュール屋外試験装置は、回転台ロック手段を更に含むことができる。当該回転台ロック手段の一端は、回転台２００に固定設置されており、その他端は、左支持ラック１２０に固定設置されることが可能である。具体的には、当該回転台ロック手段２１１に、摺動溝が設置されており、左回転台２１０の側辺の縁に、位置限定ボルトが設置されており、当該位置限定ボルトは、摺動溝に摺動接続され、左支持ラック１２０に、位置決め軸が設置されており、当該回転台ロック手段２１１は、当該位置決め軸を中心として回転し、回転台２００の角度を調整する過程において、位置限定ボルトは、摺動溝に沿って摺動可能であり、角度調整が完了した後、位置限定ボルトを締め付けることにより回転台２００の固定を実現し、従って、太陽電池モジュールの光照射角度の正確性を保証する。
【００３４】
太陽電池モジュールが回転台２００から滑り落ちるのを防止するために、回転台２００に、物支え腕木２４０が固定設置されており、物支え腕木２４０に、物支えフランジ２４１が設置されていることは理解できる。太陽電池モジュールを回転台２００に置いた後、その底部は、物支えフランジ２４１に当接可能であり、従って、回転台２００がいかなる角度まで翻転された場合でも、太陽電池モジュールが回転台２００から滑り落ちないよう保証できる。
【００３５】
本開示の実施例が提供する角度可変型太陽電池モジュール屋外試験装置は、既存の試験ブラケットでの角度及び方向を変更できないという問題点を解決し、且つビーム角測量ポールの投影状態によって、試験回転台の太陽光に垂直な状態に対する調節及び保持を実現し、屋外試験操作の便宜を図り、ＩＥＣの屋外試験に対する要求を満たし、試験の安定性及び正確性を向上させる。
【００３６】
以上、図面によって示された実施例は、本開示の構造、特徴及び作用効果を詳細に説明したが、上記の内容は、ただ本開示の好ましい実施例であり、本開示は、図面に示すもので実施範囲を限定せず、本開示の構想に従ってなされた変更又は均等変化に修正された等価実施例が、依然として明細書及び図面に含まれる精神を超えないものであるなら、全部本開示の保護範囲に属すべきである。
【符号の説明】
【００３７】
１００  スタンド
１１０  ローリングアセンブリ
１２０  左支持ラック
１２１  第１の支持棒
１２２  第２の支持棒
１３０  中央支持ラック
１４０  右支持ラック
１５０  回転軸
１６０  位置決めピン
２００  回転台
２１０  左回転台
２１１  回転台ロック手段
２２０  右回転台
２３０  トレー
２４０  物支え腕木
２４１  物支えフランジ
２５０  接続ロッド
３００  ビーム角測量ポール
４００  物置台
４１０  支持板
４２０  物置板
【図１】
2019537403.tif 000003
【国際調査報告】
2019537403.tif 000004
2019537403.tif 000005
2019537403.tif 000006
2019537403.tif 000007